(57)【要約】【課題】リサイクル時に外部から圧力が作用すると、複数の部位に分割し、内装された電機子を露出し易くすることができるヨークハウジング及びそのヨークハウジングを用いたモータを提供すること。【解決手段】破断部１０は、ヨークハウジング２の側壁部２ａと底部２ｂとの境界部２ｄ近傍における底部２ｂに、軸方向から見て電機子５を囲むように円環状に設けられる。破断部１０は、ヨークハウジング２の表裏を貫通する貫通部１１と、非貫通部１２とから形成されている。このように形成されたヨークハウジング２は、リサイクル時において外部より圧力が作用した際に、軸方向から見て電機子５より大きい破断口が形成される。【選択図】　　　図２
2004032921.tif 000002
【特許請求の範囲】
【請求項１】
円筒状の側壁部と、該側壁部の一端を閉鎖する底部とを有し、巻線を有する電機子を収容するために、有底円筒形状に形成されたヨークハウジングであって、
外部から作用する圧力にて破断する破断部を有し、
前記破断部が、前記側壁部と前記底部との境界部近傍において前記電機子を囲むように設けられていることを特徴とするヨークハウジング。
【請求項２】
請求項１に記載のヨークハウジングにおいて、
前記破断部は、前記電機子の外径よりも周方向外側において該電機子を囲むように設けられていることを特徴とするヨークハウジング。
【請求項３】
請求項１又は２に記載のヨークハウジングにおいて、
前記側壁部は、内周面にマグネットが固着され、
前記破断部は、前記マグネットの固着されていない側壁部又は前記底部において前記電機子を囲むように設けられていることを特徴とするヨークハウジング。
【請求項４】
請求項１〜３のいずれか１項に記載のヨークハウジングにおいて、
前記破断部は、前記底部に前記境界部に沿って設けられていることを特徴とするヨークハウジング。
【請求項５】
請求項１〜３のいずれか１項に記載のヨークハウジングにおいて、
前記破断部は、前記境界部と交差して設けられていることを特徴とするヨークハウジング。
【請求項６】
請求項１〜５のいずれか１項に記載のヨークハウジングにおいて、
前記底部には、軸受を保持するための軸受保持部が設けられており、
前記破断部は、前記境界部近傍において前記電機子を囲むように設けられる第１破断部と、前記軸受保持部近傍において該軸受保持部を囲むように設けられている第２破断部とから構成されていることを特徴とするヨークハウジング。
【請求項７】
請求項６に記載のヨークハウジングにおいて、
前記破断部は、前記第１破断部から前記第２破断部まで延びる第３破断部を備えていることを特徴とするヨークハウジング。
【請求項８】
請求項１〜７のいずれか１項に記載のヨークハウジングにおいて、
前記破断部は、表裏を貫通する貫通部と、非貫通部とが交互に配置される破線状をなしていることを特徴とするヨークハウジング。
【請求項９】
請求項１〜７のいずれか１項に記載のヨークハウジングにおいて、
前記破断部は、薄肉に形成されていることを特徴とするヨークハウジング。
【請求項１０】
請求項１〜９のいずれか１項に記載のヨークハウジング内に、巻線を有する電機子を収容して構成されていることを特徴とするモータ。
【発明の詳細な説明】
【０００１】
【発明の属する技術分野】
本発明はリサイクルに好適なヨークハウジング及びそのヨークハウジングを用いたモータに関するものである。
【０００２】
【従来の技術】
近年、自動車部品のリサイクル化が盛んになりつつある。そのため、廃棄する自動車は、大きなシュレッダにて裁断され、所定の大きさ（例えば、１０［ｃｍ］四方）のシュレッダダストとされ、そのシュレッダダストから主として鉄が再利用される。
【０００３】
一方、自動車には多数のモータが搭載されており、モータには銅線（巻線）を有する電機子が備えられている。そのため、シュレッダダストにその銅成分が混ざってしまう。その結果、鉄の純度が低くなり、その鉄を再利用できないという問題があった。
【０００４】
そこで、実際には、多くのシュレッダダストを人間の目で確認し、銅線を有する電機子を含んだシュレッダダストを発見した場合には、そのシュレッダダストを分別し、別工程で電機子を取り除いて、鉄系リサイクル工程に戻すということが行われていた。
【０００５】
【発明が解決しようとする課題】
しかしながら、リサイクル時に外部から圧力が作用すると、モータハウジングが破壊されて内部の電機子が見える状況であれば、その電機子の除去作業は容易であるが、いくつかのモータハウジングはシュレッダで破壊されず、該ハウジングの開口を塞ぐように単に潰れるものもあった。このような場合、モータハウジング内に電機子が収容されているかが外観から判断できないので、電機子の除去作業が困難となり、銅成分を含んだシュレッダダストがそのまま鉄系リサイクル工程に沿って流れてしまい、鉄純度を下げてしまうという問題があった。
【０００６】
本発明は、上記問題点を解決するためになされたものであって、その目的は、リサイクル時に外部から圧力が作用すると、複数の部位に分割し、内装された電機子を露出し易くすることができるヨークハウジング及びそのヨークハウジングを用いたモータを提供することにある。
【０００７】
【課題を解決するための手段】
上記問題点を解決するため、請求項１に記載の発明は、円筒状の側壁部と、該側壁部の一端を閉鎖する底部とを有し、巻線を有する電機子を収容するために、有底円筒形状に形成されたヨークハウジングにであって、外部から作用する圧力にて破断する破断部を有し、前記破断部が、前記側壁部と前記底部との境界部近傍において前記電機子を囲むように設けられていることをその要旨とする。
【０００８】
請求項２に記載の発明は、請求項１に記載のヨークハウジングにおいて、前記破断部は、前記電機子の外径よりも周方向外側において該電機子を囲むように設けられていることをその要旨とする。
【０００９】
請求項３に記載の発明は、請求項１又は２に記載のヨークハウジングにおいて、前記側壁部は、内周面にマグネットが固着され、前記破断部は、前記マグネットの固着されていない側壁部又は前記底部において前記電機子を囲むように設けられていることをその要旨とする。
【００１０】
請求項４に記載の発明は、請求項１〜３のいずれか１項に記載のヨークハウジングにおいて、前記破断部は、前記底部に前記境界部に沿って設けられていることをその要旨とする。
【００１１】
請求項５に記載の発明は、請求項１〜３のいずれか１項に記載のヨークハウジングにおいて、前記破断部は、前記境界部と交差して設けられていることをその要旨とする。
【００１２】
請求項６に記載の発明は、請求項１〜５のいずれか１項に記載のヨークハウジングにおいて、前記底部には、軸受を保持するための軸受保持部が設けられており、前記破断部は、前記境界部近傍において前記電機子を囲むように設けられる第１破断部と、前記軸受保持部近傍において該軸受保持部を囲むように設けられている第２破断部とから構成されていることをその要旨とする。
【００１３】
請求項７に記載の発明は、請求項６に記載のヨークハウジングにおいて、前記破断部は、前記第１破断部から前記第２破断部まで延びる第３破断部を備えていることをその要旨とする。
【００１４】
請求項８に記載の発明は、請求項１〜７のいずれか１項に記載のヨークハウジングにおいて、前記破断部は、表裏を貫通する貫通部と、非貫通部とが交互に配置される破線状をなしていることをその要旨とする。
【００１５】
請求項９に記載の発明は、請求項１〜７のいずれか１項に記載のヨークハウジングにおいて、前記破断部は、薄肉に形成されていることをその要旨とする。
請求項１０に記載の発明は、請求項１〜９のいずれか１項に記載のヨークハウジング内に、巻線を有する電機子を収容して構成されていることをその要旨とする。
【００１６】
（作用）
請求項１に記載の発明によれば、前記ヨークハウジングは、外部から圧力が作用すると破断する破断部は、側壁部と底部との境界部近傍において電機子を囲むように設けられている。従って、ヨークハウジング内に収容された電機子が露出し易くなり、該電機子を容易に発見、除去できる。
【００１７】
請求項２に記載の発明によれば、破断部は、電機子の外径よりも周方向外側において該電機子を囲むように設けられる。これにより、電機子の外径よりも大きい破断部が確実に設けられ、容易に電機子をヨークハウジングから取り出すことができる。
【００１８】
請求項３に記載の発明によれば、内周面にマグネットのない側壁部又は底部に破断部が形成される。従って、容易に破断部にて破断することができる。
請求項４に記載の発明によれば、破断部は、底部において電機子を囲むように設けられる。これにより、破断部は通常時に破断されにくくなる。
【００１９】
請求項５に記載の発明によれば、破断部は、境界部を交差して設けられる。これにより、衝撃の加わり易い境界部に圧力を受ける領域が増大するように破断部を設けるので、リサイクル時に容易に破断することができる。
【００２０】
請求項６に記載の発明によれば、底部には、軸受を保持するための軸受保持部が設けられており、破断部は、前記境界部近傍において前記電機子を囲むように設けられる第１破断部と、前記軸受保持部近傍において該軸受保持部を囲むように設けられている第２破断部とから構成される。このように形成すれば、軸受保持部を含む部位も他の部位から分割できる。従って、軸受保持部に銅成分を含んだ軸受を用いても、リサイクル時にその軸受を容易に除去できる。
【００２１】
請求項７に記載の発明によれば、破断部は、第１破断部から第２破断部まで延びる第３破断部を備えている。従って、回転軸の軸方向から圧力が作用しても容易に破断することができる。
【００２２】
請求項８に記載の発明によれば、破断部を貫通部と非貫通部とが交互に配置される破線状としたので、容易に形成でき、しかも破断も容易である。
請求項９に記載の発明によれば、破断部を薄肉としたので、容易に形成でき、しかも破断も容易である。又、ヨークハウジングに孔が生じないので、該ヨークハウジング内に水や塵といった異物の浸入を心配する必要がない。
【００２３】
請求項１０に記載の発明によれば、モータは、請求項１〜７のいずれか１項に記載のヨークハウジング内に、巻線を有する電機子を収容して構成されている。これにより、リサイクル時において、モータ（ヨークハウジング）に外部から圧力が作用すると、その圧力により破断部が破断され、ヨークハウジングは複数の部位に分割される。従って、ヨークハウジング内に収容された電機子が露出し易くなるので、該電機子を容易に発見、除去できる。つまり、このようなヨークハウジングを備えることにより、リサイクル性に優れたモータを構成できる。
【００２４】
【発明の実施の形態】
（第一実施形態）
以下、本発明を具体化した第一実施形態を図面に従って説明する。
【００２５】
図１は、車両用空調モータとしての冷却ファンモータ１（以下、単にモータという）を示す。
モータ１は、磁性金属板材をプレス加工してなる有底円筒形状のヨークハウジング２を有している。
【００２６】
ヨークハウジング２は、円筒状に形成された側壁部２ａと、該側壁部２ａの一端を閉鎖する円錐台状に形成された底部２ｂと、他端に形成される図示しない開口部とを有している。側壁部２ａの内周面には、複数（本実施形態では２つ）のマグネット４が固着されている。これらマグネット４の内側には、電機子５が回転可能に収容されている。底部２ｂの中心部には、有底円筒状の軸受保持部２ｃが形成されている。軸受保持部２ｃには、電機子５の回転軸６を回転可能に支持する鉄製の軸受７（本実施形態ではベアリング）が固定されている。
【００２７】
電機子５は、回転軸６、コア８、巻線９を備えている。コア８は、軟磁性金属紛体（ＳＭＣ）を焼結（成形）して形成され、回転軸６に固定されている。又、コア８には、銅線よりなる巻線９が巻回されている。
【００２８】
回転軸６は、略円柱状に形成されている。回転軸６は、ヨークハウジング２の軸受保持部２ｃより突出し、突出した回転軸６の先端にはファン３が接続固定される。
【００２９】
図２（ａ）（ｂ）に示すように、ヨークハウジング２は、リサイクル時において外部から圧力が作用した際に、電機子５よりも外径が大きい図示しない破断口（図２において太破線の大きさに形成される）が形成されるように構成されている。つまり、ヨークハウジング２は、側壁部２ａと底部２ｂとの境界部２ｄ近傍に形成された破断部１０により第１，第２の部位Ａ１，Ａ２に分割され易く構成されている。
【００３０】
破断部１０は、ヨークハウジング２の底部２ｂに形成される。該破断部１０は、回転軸６の周方向に対し側壁部２ａと底部２ｂとの境界部２ｄと平行に沿って延び、軸方向から見て電機子５の外径よりも大きい径で円環状に形成されている。このように、破断部１０は、軸方向から見て電機子５を囲むように円環状に設けられている。
【００３１】
破断部１０は、外部から作用する圧力により破断するように形成され、本実施形態では、図２（ｃ）に示すように、ヨークハウジング２の表裏を貫通する貫通部１１と、非貫通部１２とを境界部２ｄに沿って交互に配置して形成されている。尚、破断部１０において、その貫通部１１の貫通方向は考慮する必要がなく、リサイクル時において圧力が作用した際に軸方向から見て電機子５よりも大きい破断口が形成されればよい。
【００３２】
破断部１０を形成する位置の設定は、以下の理由に基づく。ヨークハウジング２の側壁部２ａ内周面にはマグネット４が固着されている。ヨークハウジング２の側壁部２ａにおいて、マグネット４が固着されている部分は、他の部分に比べ剛性が高くなっている。つまり、内周面にマグネット４が固着されている側壁部２ａに破断部１０を形成した場合、リサイクル時に外部から圧力が作用しても破断しない虞がある。又、底部２ｂは、通常時（モータ１の使用時）には外力が作用され難い。つまり、底部２ｂに破断部１０が形成されれば、通常時には破断され難い構成となる。従って、破断部１０は、マグネット４が内周面に固着されていない底部２ｂに形成される。
【００３３】
又、破断部１０は、軸方向から見て電機子５の外径よりも小さい径で形成されてしまうと、リサイクル時（破断時）においてヨークハウジング２に破断口が電機子５より小さく形成され、電機子５が露出され難くなり発見されない虞がある。仮に電機子５を発見できても、電機子５を破断口から抜き出せず除去作業が困難になる。つまり、破断部１０は、軸方向から見て電機子５の外径と比べ大きく形成されれば容易に発見、除去できる構成となる。従って、破断部１０は、電機子５を囲むように形成される。
【００３４】
このように、破断部１０は、軸方向から見て電機子５の外径よりも大きい径で、かつ、内周面にマグネット４が固着されていない部分（本実施形態では境界部２ｄ近傍、詳しくは底部２ｂ）に形成されれば、リサイクル時において破断し易く、電機子５が破断口より抜き出し易い構成となる。
【００３５】
このように、破断部１０により仕切られたヨークハウジング２の各部位Ａ１，Ａ２は、その第１の部位Ａ１が側壁部２ａ及び底部２ｂの側壁部２ａ側の一部で、第２の部位Ａ２が底部２ｂの軸受保持部２ｃ側及び軸受保持部２ｃとなっている。このように、本実施形態のヨークハウジング２は、リサイクル時において外部から圧力が作用した際に、該ヨークハウジング２に形成した破断部１０から破断して、複数の部位Ａ１，Ａ２に分割し、底部２ｂに軸方向から見て電機子５よりも大きい破断口が形成されるように構成されている。
【００３６】
このような構成のモータ１は、リサイクル時において、シュレッダによる圧力が作用すると、破断部１０が破断する。そして、破断部１０が破断することにより、ヨークハウジング２が第１，第２の部位Ａ１，Ａ２に分割され、底部２ｂには電機子５の外径より大きい径の破断口が形成される。従って、ヨークハウジング２内に収容された電機子５が露出し易く、外部から確認し易くなる。その結果、巻線９を有する電機子５を、ヨークハウジング２等の金属材料から容易に分離することが可能となる。
【００３７】
上記したように、本実施形態によれば、以下の効果を有する。
（１）ヨークハウジング２には、側壁部２ａと底部２ｂとの境界部２ｄ近傍において電機子５を囲むように破断部１０が設けられ、該破断部１０はリサイクル時に外部から作用する圧力によって破断する。この破断により、ヨークハウジング２が部位Ａ１，Ａ２に分割され、電機子５の外径より大きい径の破断口が形成される。従って、ヨークハウジング２内に収容された電機子５が露出し易くなるので、該電機子５を容易に発見でき、該電機子５を容易に除去することができる。つまり、このようなヨークハウジング２を備えることにより、リサイクル性に優れたモータ１を構成することができる。
【００３８】
（２）破断部１０は、ヨークハウジング２を貫通する貫通部１１と、非貫通部１２とから形成されている。従って、ヨークハウジング２を破断し易くする破断部１０は、容易に形成することができ、しかも破断も容易である。
【００３９】
（３）コア８は、磁性金属紛体を成形してなるので、外力により破壊され易い。そのため、電機子５においても、コア８と巻線９とを容易に分離することができる。
【００４０】
尚、本発明の実施形態は、以下のように変更してもよい。
○上記実施形態では、破断部１０は、ヨークハウジング２の底部２ｂに形成されたが、図６に示すように、境界部２ｄ近傍であれば側壁部２ａに形成されてもよい。このようにしても、リサイクル時に、ヨークハウジング２は側壁部２ａ側の部位Ａ３と、側壁部２ａの境界部２ｄ側と底部２ｂ及び軸受保持部２ｃを含む部位Ａ４とに分割され、電機子５より大きい破断口が形成されるので、電機子５を破断口から容易に抜き出すことができる。
【００４１】
○上記実施形態では、破断部１０の非貫通部１２は、ヨークハウジング２の厚さであるが、これを薄肉状に形成してもよい。このようにすれば、リサイクル時において、破断部はさらに破断され易くなる。
【００４２】
○上記実施形態では、周方向に対しては、電機子５の外径より外側の底部２ｂの範囲から、軸方向に対しては、マグネット４固定部分より底部２ｂ側の側壁部２ａの範囲内（境界部近傍）において、側壁部２ａと底部２ｂとが分割するように破断部１０が形成されている。しかし、これに限らず、ヨークハウジング２は、境界部２ｄ近傍において側壁部２ａと底部２ｂとが分割するように形成されればよい。
【００４３】
（第２実施形態）
以下、本発明を具体化した第２実施形態を図面に従って説明する。尚、本実施形態では、前記第１実施形態と同様な構成については同一の符号を付して、その説明を省略する。
【００４４】
図３（ａ）（ｂ）に示すように、本実施形態のヨークハウジング２０には、前記第１実施形態のヨークハウジング２の破断部１０に代えて、薄肉部２１（破断部）が設けられている。図３（ｃ）に示すように、この薄肉部２１は、ヨークハウジング２０の外側から略Ｕ字状に凹設することより形成される。尚、ヨークハウジング２０の内側から凹設して薄肉部を形成しても良い。また、凹設する形状を略Ｖ字状にしても良い。このように本実施形態のヨークハウジング２０においても、リサイクル時において外部から圧力が作用した際に、該ヨークハウジング２０に形成した薄肉部２１から破断して、複数の部位Ａ１，Ａ２に分割するように構成されている。
【００４５】
そのため、ヨークハウジング２０は、前記第１実施形態と同様、リサイクル時において複数の部位Ａ１，Ａ２に分割され、底部２ｂには軸方向から見て電機子５よりも大きい破断口が形成されるので、内装された電機子５が露出し易く、外観から確認し易くなる。その結果、巻線９を有する電機子５を容易に除去できる。
【００４６】
上記したように、本実施形態によれば第１実施形態の効果に加え、以下の効果を有する。
（１）ヨークハウジング２０を破断し易くする薄肉部２１は、容易に形成することができ、しかも破断も容易である。又、ヨークハウジング２０に孔が生じないので、該ヨークハウジング２０内に水や塵といった異物の浸入を心配する必要がない。
【００４７】
（第３実施形態）
以下、本発明を具体化した第３実施形態を図面に従って説明する。尚、本実施形態では、前記各実施形態と同様な構成については同一の符号を付して、その説明を省略する。
【００４８】
図４（ａ）（ｂ）は、本実施形態のヨークハウジング３０を示す。該ヨークハウジング３０には、前記第１実施形態で用いた鉄製の軸受７（ベアリング）に代えて、図示しない含油性軸受（銅製）が設けられ、又、前記第１実施形態と同様の破断部１０が設けられている。本実施形態の破断部１０は、リサイクル時において外部から圧力が作用した際に、底部２ｂに電機子５よりも外径の大きい破断口が形成されるように構成されている。つまり、ヨークハウジング３０は、破断部１０により、破断時に複数の部位Ｂ１〜Ｂ６に分割され易く構成されている。
【００４９】
破断部１０は、ヨークハウジング３０の側壁部２ａと、底部２ｂとの境界部２ｄ近傍において底部２ｂに設けらる第１破断部３１と、軸受保持部２ｃ近傍に設けられる第２破断部３２と、第１破断部３１から第２破断部３２まで延びるように設けられる複数（本実施形態では４つ）の第３破断部３３とを有している。
【００５０】
第１破断部３１は、前記各実施形態と同様、ヨークハウジング３０の底部２ｂに電機子５を取り囲むように設けられている。第２破断部３２は、軸受保持部２ｃ近傍において該軸受保持部２ｃを囲むように円環状に設けられている。第３破断部３３は、底部２ｂに設けられた第１破断部３１から軸受保持部２ｃに設けられた第２破断部３２まで、底部２ｂの軸方向に沿って延びている。各第３破断部３３は、それぞれが軸方向から見て等間隔（９０°）となるように設けられている。各第３破断部３３と、第１，第２破断部３１，３２との接続点は、全ての方向において貫通する貫通部３４によって形成されている。つまり、接続点の貫通部３４は、略Ｔ字状に貫通形成されている。
【００５１】
このように、破断部１０により仕切られたヨークハウジング３０の各部位Ｂ１〜Ｂ６は、その第１の部位Ｂ１が側壁部２ａ及び底部２ｂの側壁部２ａ側の一部で、第２の部位Ｂ２が底部２ｂの軸受保持部２ｃとなっている。第３〜第６の部位Ｂ３〜Ｂ６は、軸受保持部２ｃ以外の底部２ｂにおいて第３破断部３３により分割される４つの部位となっている。
【００５２】
このように形成された本実施形態のヨークハウジング３０は、リサイクル時に外部より圧力が作用した際に、該ヨークハウジング３０に形成した第１〜第３破断部３１，３２，３３から破断して、複数の部位Ｂ１〜Ｂ６に分割される。従って、前記各実施形態と同様、リサイクル時において複数の部位Ｂ１〜Ｂ６毎に分割して電機子５よりも大きい破断口が形成されるので、内装された電機子５が露出し易く、外観から確認し易くなる。その結果、巻線９を有する電機子５を容易に除去できる。
【００５３】
上記したように、本実施形態によれば前記各実施形態の効果に加え、以下の効果を有する。
（１）第２破断部３２は、底部２ｂにおいて軸受保持部２ｃを囲むように環状に設けられる。これにより、軸受保持部２ｃを含む部位Ｂ２も他の部位Ｂ１，Ｂ３〜６から分割できる。そのため、軸受保持部２ｃに銅成分を含んだ軸受７（含油軸受等）を用いても、リサイクル時にその軸受７部分を容易に除去することができる。
【００５４】
（２）ヨークハウジング３０は、第１破断部３１から第２破断部３２まで軸方向に沿って延びる第３破断部３３を有している。従って、リサイクル時に軸方向からの圧力が作用した際にも、容易に破断し、容易に電機子５を抜き出すことができる。
【００５５】
尚、本発明の実施形態は、以下のように変更してもよい。
○上記実施形態では、第３破断部３３は４つ設けられているが、これに限らず、第１破断部３１から第２破断部３２まで延びるように形成されれば、いくつ設けられてもよい。
【００５６】
○上記実施形態では、第１破断部３１は底部２ｂに設けられたが、境界部２ｄ近傍であれば側壁部２ａに形成されもよい。
○上記実施形態では、破断部１０は、ヨークハウジング３０の表裏を貫通する貫通部１１，３４と、非貫通部１２とから形成されているが、前記第２実施形態のように、破断部１０に代えて薄肉部２１が用いられてもよい。このようにすれば、ヨークハウジング３０に孔が生じないので、該ヨークハウジング３０内に水や塵といった異物の浸入を心配する必要がない。
【００５７】
（第４実施形態）
以下、本発明を具体化した第４実施形態を図面に従って説明する。尚、本実施形態では、前記各実施形態と同様な構成については同一の符号を付して、その説明を省略する。
【００５８】
図５（ａ）（ｂ）に示すように、ヨークハウジング４０は、側壁部２ａと、底部２ｂとの境界部２ｄ近傍において、境界部２ｄと交差しながら形成される波形状の破断部１０を有している。
【００５９】
破断部１０は、側壁部２ａから底部２ｂに向かって軸方向に対し斜め上（図５（ｂ）において右上）方向に直線状に延び、軸方向から見て電機子５の外径よりも外側における底部２ｂまで到達する。そして、破断部１０は、底部２ｂから側壁部２ａに向かって軸方向に対し斜め下（図５（ｂ）において右下）方向に直線状に延び、周方向から見てマグネット４よりも上部における側壁部２ａまで到達する。それら２方向の破断部１０の接続部４１は、略エルボ形状に貫通形成されている。このようにして、破断部１０は、ヨークハウジング４０の境界部２ｄ近傍を破断部１０は、境界部２ｄと交差しながら周方向に沿って延びるように設けられ、電機子５を囲むように形成される。
【００６０】
こうして形成されたヨークハウジング４０は、リサイクル時において外部より圧力が作用した際に、該ヨークハウジング４０に形成した破断部１０から破断して、略側壁部２ａ側の部位Ｃ１と、略底部２ｂ側の部位Ｃ２とに分割され、境界部２ｄ近傍に電機子５よりも大きい破断口が形成される。
【００６１】
上記したように、本実施形態によれば前記各実施形態の効果に加え、以下の効果を有する。
（１）ヨークハウジング４０の破断部１０は、リサイクル時に圧力の加わり易い境界部２ｄ近傍において破断部１０は、境界部２ｄと交差しながら電機子５を囲むように形成されている。従って、リサイクル時において、破断部１０が容易に破断される。その結果、ヨークハウジング２内に収容された電機子５が露出し易くなるので、電機子５を容易に発見でき、該電機子５を容易に除去することができる。
【００６２】
（２）破断部１０は、境界部２ｄと交差しながら形成されている。従って、リサイクル時に、圧力を受ける領域が拡大され、破断部１０にて破断され易くなる。
【００６３】
（３）側壁部２ａから底部２ｂに向かう破断部１０と、底部２ｂから側壁部２ａに向かう破断部１０との接続部４１は、略エルボ形状に貫通形成されている。従って、リサイクル時において、破断部１０を容易に破断することができる。
【００６４】
尚、本発明の実施形態は、以下のように変更してもよい。
○上記実施形態では、直線波形状に破断部１０を形成していたが、破断部１０は直線状に限らず、例えば曲線波形状に形成してもよい。
【００６５】
○上記実施形態では、破断部１０は、ヨークハウジング４０の表裏を貫通する貫通部１１と、非貫通部１２とから形成されているが、前記第２実施形態のように、破断部１０に代えて薄肉部２１を形成してもよい。このようにすれば、ヨークハウジング４０に孔が生じないので、該ヨークハウジング４０内に水や塵といった異物の浸入を心配する必要がない。
【００６６】
○上記実施形態では、破断部１０は、境界部２ｄにおいて側壁部２ａと底部２ｂとを交互に経由する波形状に形成されていたが、境界部２ｄ近傍であれば側壁部２ａ又は底部２ｂに波形状の破断部１０を設けてもよい。このようにすれば、リサイクル時において圧力を受ける領域が増大し、破断部１０が破断され易くなる。
【００６７】
上記各実施形態から把握できる技術的思想を以下に記載する。
（イ）　請求項９に記載のモータにおいて、前記巻線が巻回される電機子のコアは、磁性金属紛体を成形してなることを特徴とするモータ。このようにすれば、電機子のコアは、磁性金属紛体を成形してなるので、外力により破壊され易い。そのため、電機子においても、コアと巻線とを容易に分離できる。
【００６８】
（ロ）　請求項８に記載のヨークハウジングにおいて、前記破断部の非貫通部は、薄肉状に形成されていることを特徴とするヨークハウジング。このように形成すれば、リサイクル時において、破断部はさらに破断され易くなる。
【００６９】
（ハ）　請求項１〜８のいずれか１項に記載のヨークハウジングにおいて、前記破断部は、複数形成され接続されるものであって、その接続点では、すべての方向に貫通する貫通部を有していることを特徴とするヨークハウジング。このように形成すれば、リサイクル時において、破断部はさらに破断され易くなる。
【００７０】
【発明の効果】
以上詳述したように、本発明によれば、リサイクル時に外部から圧力が作用すると、複数の部位に分割し、内装された電機子を露出し易くすることができるヨークハウジング及びそのヨークハウジングを用いたモータを提供することができる。
【図面の簡単な説明】
【図１】第１実施形態におけるモータの断面図である。
【図２】（ａ）は第１実施形態のヨークハウジングの平面図、（ｂ）はその正面図、（ｃ）は破断部の断面図である。
【図３】（ａ）は第２実施形態のヨークハウジングの平面図、（ｂ）はその正面図、（ｃ）は薄肉部の断面図である。
【図４】（ａ）は第３実施形態のヨークハウジングの平面図、（ｂ）はその正面図である。
【図５】（ａ）は第４実施形態のヨークハウジングの平面図、（ｂ）はその正面図である。
【図６】（ａ）は別例のヨークハウジングの平面図、（ｂ）はその正面図である。
【符号の説明】
１…モータ、２，２０，３０，４０…ヨークハウジング、２ａ…側壁部、２ｂ…底部、２ｃ…軸受保持部、２ｄ…境界部、４…マグネット、５…電機子、６…回転軸、７…軸受、８…コア、９…巻線、１０…破断部、１１…貫通部、１２…非貫通部、２１…薄肉部、３１〜３３…第１〜第３破断部、Ａ１，Ａ２，Ｂ１〜Ｂ６…部位。
【図１】
2004032921.tif 000003
【図２】
2004032921.tif 000004
【図３】
2004032921.tif 000005
【図４】
2004032921.tif 000006
【図５】
2004032921.tif 000007
【図６】
2004032921.tif 000008